【手続補正書】
【提出日】平成23年6月30日(2011.6.30)
【手続補正１】
【補正対象書類名】特許請求の範囲
【補正対象項目名】全文
【補正方法】変更
【補正の内容】
【特許請求の範囲】
【請求項１】
遊技店に配設される店内機器と、前記店内機器に接続されるとともに該店内機器の管理を行う管理装置と、１つまたは複数の店内機器とその周辺を撮像可能に設けられた撮像装置に接続されるとともに各撮像装置によって撮像された動画像を格納する画像管理装置とを有する遊技場管理システムであって、
前記管理装置は、
前記店内機器で発生するイベントのイベント内容、前記イベントが発生したイベント発生時刻及び前記イベントが発生した店内機器を一意に特定するための店内機器識別子をイベント履歴として記憶するイベント履歴記憶手段と、
前記イベント履歴記憶手段によって記憶されたイベント履歴の中から再生対象とするイベント履歴の選択を受け付ける選択受付手段と、
前記選択受付手段によって選択が受け付けられたイベント履歴を前記画像管理装置に通知するイベント履歴通知手段とを備え、
前記画像管理装置は、
前記店内機器識別子ごとに該店内機器とその周辺が撮像された動画像の格納先を対応付けて記憶する格納先記憶手段と、
前記格納先記憶手段によって記憶された動画像の格納先のうち前記イベント履歴通知手段によってイベント履歴として通知された店内機器識別子に対応する格納先の動画像を再生対象の動画像として決定する再生動画像決定手段と、
前記再生動画像決定手段によって再生対象として決定された動画像を前記イベント履歴通知手段によってイベント履歴として通知されたイベント発生時刻もしくはその近傍の時刻から再生するとともに、前記イベント履歴通知手段によって通知されたイベント履歴を当該動画像に重畳して再生する動画像再生手段とを備えた
ことを特徴とする遊技場管理システム。
【請求項２】
前記管理装置は、
前記イベント履歴記憶手段に対する検索条件として、前記イベント内容、イベント発生時刻もしくは店内機器識別子のうち少なくともいずれか１つを受け付ける検索条件受付手段と、
前記イベント履歴記憶手段によって記憶されるイベント履歴の中から前記検索条件受付手段によって受け付けられた検索条件に一致または部分一致するイベント履歴を検索するイベント履歴検索手段とをさらに備え、
前記選択受付手段は、
前記イベント履歴検索手段による検索結果の中から再生対象とするイベント履歴の選択を受け付けることを特徴とする請求項１に記載の遊技場管理システム。
【請求項３】
前記管理装置は、管理対象に応じて複数種類あり、
前記動画像再生手段は、前記再生動画像決定手段で決定された動画像に対して、前記複数種類の管理装置のいずれかの前記イベント履歴通知手段により通知された前記イベント履歴を重畳することを特徴とする請求項１または２に記載の遊技場管理システム。
【請求項４】
遊技店に配設される店内機器と、前記店内機器に接続されるとともに該店内機器の管理を行う管理装置と、１つまたは複数の店内機器とその周辺を撮像可能に設けられた撮像装置に接続されるとともに各撮像装置によって撮像された動画像を格納する画像管理装置とを有する遊技場管理システムに適用する遊技場管理方法であって、
前記管理装置が、
前記店内機器で発生するイベントのイベント内容、前記イベントが発生したイベント発生時刻及び前記イベントが発生した店内機器を一意に特定するための店内機器識別子をイベント履歴として記憶するイベント履歴記憶手段によって記憶されたイベント履歴の中から再生対象とするイベント履歴の選択を受け付ける選択受付工程と、
前記選択受付工程によって選択が受け付けられたイベント履歴を前記画像管理装置に通知するイベント履歴通知工程とを実行し、
前記画像管理装置が、
前記店内機器識別子ごとに該店内機器とその周辺が撮像された動画像の格納先を対応付けて格納先記憶手段に登録する格納先登録工程と、
前記格納先記憶手段によって記憶された動画像の格納先のうち前記イベント履歴通知工程によってイベント履歴として通知された店内機器識別子に対応する格納先の動画像を再生対象の動画像として決定する再生動画像決定工程と、
前記再生動画像決定工程によって再生対象として決定された動画像を前記イベント履歴通知工程によってイベント履歴として通知されたイベント発生時刻もしくはその近傍の時刻から再生するとともに、前記イベント履歴通知工程によって通知されたイベント履歴を当該動画像に重畳して再生する動画像再生工程とを実行する
ことを特徴とする遊技場管理方法。
【請求項５】
遊技店に配設される店内機器に接続されるとともに該店内機器の管理を行う管理装置であって、
前記店内機器で発生するイベントのイベント内容、前記イベントが発生したイベント発生時刻及び前記イベントが発生した店内機器を一意に特定するための店内機器識別子をイベント履歴として記憶するイベント履歴記憶手段と、
前記イベント履歴記憶手段によって記憶されたイベント履歴の中から再生対象とするイベント履歴の選択を受け付ける選択受付手段と、
前記選択受付手段によって選択が受け付けられたイベント履歴を、１または複数の店内機器とその周辺を撮像可能に設けられた撮像装置に接続されるとともに各撮像装置によって撮像された動画像を格納する画像管理装置に通知するイベント履歴通知手段と
を備えたことを特徴とする管理装置。
【手続補正２】
【補正対象書類名】明細書
【補正対象項目名】発明の名称
【補正方法】変更
【補正の内容】
【発明の名称】遊技場管理システム、遊技場管理方法及び管理装置
【手続補正３】
【補正対象書類名】明細書
【補正対象項目名】０００１
【補正方法】変更
【補正の内容】
【０００１】
本発明は、遊技店に配設される店内機器と、店内機器に接続されるとともに該店内機器の管理を行う管理装置と、店内機器及びその周辺を撮像可能に設けられた撮像装置に接続されるとともに複数の撮像装置によって撮像された動画像を格納する画像管理装置とを有する遊技場管理システム、遊技場管理方法及び管理装置に関する。
【手続補正４】
【補正対象書類名】明細書
【補正対象項目名】０００７
【補正方法】変更
【補正の内容】
【０００７】
そこで、本発明は、上述した従来技術による課題（問題点）を解消するためになされたものであり、不正発生時の画像を簡便に参照させるとともに、監視すべき不正の内容を把握しやすい画像を提示することができる遊技場管理システム、遊技場管理方法及び管理装置を提供することを目的とする。
【手続補正５】
【補正対象書類名】明細書
【補正対象項目名】００１１
【補正方法】変更
【補正の内容】
【００１１】
また、本発明に係る遊技場管理方法は、遊技店に配設される店内機器と、前記店内機器に接続されるとともに該店内機器の管理を行う管理装置と、１つまたは複数の店内機器とその周辺を撮像可能に設けられた撮像装置に接続されるとともに各撮像装置によって撮像された動画像を格納する画像管理装置とを有する遊技場管理システムに適用する遊技場管理方法であって、前記管理装置が、前記店内機器で発生するイベントのイベント内容、前記イベントが発生したイベント発生時刻及び前記イベントが発生した店内機器を一意に特定するための店内機器識別子をイベント履歴として記憶するイベント履歴記憶手段によって記憶されたイベント履歴の中から再生対象とするイベント履歴の選択を受け付ける選択受付工程と、前記選択受付工程によって選択が受け付けられたイベント履歴を前記画像管理装置に通知するイベント履歴通知工程とを実行し、前記画像管理装置が、前記店内機器識別子ごとに該店内機器とその周辺が撮像された動画像の格納先を対応付けて格納先記憶手段に登録する格納先登録工程と、前記格納先記憶手段によって記憶された動画像の格納先のうち前記イベント履歴通知工程によってイベント履歴として通知された店内機器識別子に対応する格納先の動画像を再生対象の動画像として決定する再生動画像決定工程と、前記再生動画像決定工程によって再生対象として決定された動画像を前記イベント履歴通知工程によってイベント履歴として通知されたイベント発生時刻もしくはその近傍の時刻から再生するとともに、前記イベント履歴通知工程によって通知されたイベント履歴を当該動画像に重畳して再生する動画像再生工程とを実行することを特徴とする。
また、本発明は、遊技店に配設される店内機器に接続されるとともに該店内機器の管理を行う管理装置であって、前記店内機器で発生するイベントのイベント内容、前記イベントが発生したイベント発生時刻及び前記イベントが発生した店内機器を一意に特定するための店内機器識別子をイベント履歴として記憶するイベント履歴記憶手段と、前記イベント履歴記憶手段によって記憶されたイベント履歴の中から再生対象とするイベント履歴の選択を受け付ける選択受付手段と、前記選択受付手段によって選択が受け付けられたイベント履歴を、１または複数の店内機器とその周辺を撮像可能に設けられた撮像装置に接続されるとともに各撮像装置によって撮像された動画像を格納する画像管理装置に通知するイベント履歴通知手段とを備えたことを特徴とする。
【手続補正６】
【補正対象書類名】明細書
【補正対象項目名】００１５
【補正方法】変更
【補正の内容】
【００１５】
以下に添付図面を参照して、本発明に係る遊技場管理システム、遊技場管理方法及び管理装置の好適な実施例を詳細に説明する。なお、以下では、本発明をパチンコ遊技に適用する場合について説明することとする。
【手続補正７】
【補正対象書類名】明細書
【補正対象項目名】００８９
【補正方法】変更
【補正の内容】
【００８９】
以上のように、本発明に係る遊技場管理システム、遊技場管理方法及び管理装置は、不正発生時の画像を簡便に参照させるとともに、監視すべき不正の内容を把握しやすい画像を提示する場合に適している。